(57)【要約】【課題】取り込んだ画像を表示画面に表示し、当該表示画面上でキー操作を行うことが可能なリモコン装置を提供する。【解決手段】制御対象機器に応じた制御キー群を表示する表示部と、制御キー群を構成する個々の制御キーに対応して検出領域が形成され、制御キーが操作されたことを検出する検出部と、制御対象機器を制御するリモコン信号を制御キーに対応付けて記憶する記憶部と、検出部により検出された制御キーに対応付けられたリモコン信号を制御対象機器に向けて発信する発信部と、制御対象機器ごとに個々の制御キーの設定を切り替える制御部と、制御対象機器が備える制御キー群の画像を撮影して取得する画像取得部と、を備えることにより、取り込んだ画像を表示画面に表示し、当該表示画面上でキー操作を行うことが可能となる。【選択図】図５
2009246646.tif 000002
【特許請求の範囲】
【請求項１】
制御対象機器に応じた制御キー群を表示する表示部と、
前記制御キー群を構成する個々の制御キーに対応して検出領域が形成され、前記制御キーが操作されたことを検出する検出部と、
前記制御対象機器を制御するリモコン信号を前記制御キーに対応付けて記憶する記憶部と、
前記検出部により検出された制御キーに対応付けられたリモコン信号を前記制御対象機器に向けて発信する発信部と、
前記制御対象機器ごとに前記個々の制御キーの設定を切り替える制御部と、を備えたリモコン装置において、
前記制御対象機器が備える制御キー群の画像を撮影して取得する画像取得部を設け、
前記制御部は、前記画像取得部により取得された画像に含まれる個々の制御キーに対応して、前記検出領域及びリモコン信号の設定を行うことを特徴とするリモコン装置。 
【請求項２】
前記制御対象機器から発信されたリモコン信号を受信する受信部を備え、
前記制御部は、前記画像取得部により取得された画像を前記表示部に表示させ、
当該画像上の個々の制御キーに対応する表示領域が操作されることに基づいて、当該表示領域に対応して前記検出領域を設定し、
前記受信部により受信されたリモコン信号を、当該制御キーに対応付けることを特徴とする請求項１に記載のリモコン装置。 
【請求項３】
前記画像は、前記制御対象機器に付属するリモコン装置の画像であることを特徴とする請求項１又は２に記載のリモコン装置。 
【請求項４】
制御対象機器に応じた制御キー群を表示する表示部と、
前記制御キー群を構成する個々の制御キーに対応して検出領域が形成され、前記制御キーが操作されたことを検出する検出部と、
前記制御対象機器を制御するリモコン信号を前記制御キーに対応付けて記憶する記憶部と、
前記検出部により検出された制御キーに対応付けられたリモコン信号を前記制御対象機器に向けて発信する発信部と、
前記制御対象機器ごとに前記個々の制御キーの設定を切り替える制御部と、を備えたリモコン装置の設定方法であって、
前記制御対象機器が備える制御キー群の画像を撮影して取得し、
当該取得された画像に含まれる個々の制御キーに対応して、前記検出領域及びリモコン信号の設定を行うことを特徴とするリモコン装置の設定方法。
【発明の詳細な説明】
【技術分野】
【０００１】
本発明は、液晶タッチパネルを用いたリモコン装置及び設定方法に関する。
【背景技術】
【０００２】
近年、プッシュボタン型のリモコンに代わり、液晶タッチパネルを用いたリモコンが知られている（以下、液晶タッチパネルリモコンと称する）。液晶タッチパネルは、液晶パネル上にタッチパネルが載置されたものであり、タッチパネルを透過する形でタッチ位置目標及び制御内容を示す制御キーを表示する。
液晶タッチパネルリモコンに表示された制御キーを手指やタッチペン等で押下することで、当該制御キーに対応する制御信号を送出し、目的機器の遠隔制御を行うことができる。つまり、制御キーのそれぞれには、目的機器を遠隔制御するための機能が割り当てられている。
液晶タッチパネルリモコンを用いることにより、制御する電子機器（以下、制御対象機器と称する）に応じて制御キーの種類や配置を自由に変更することができる。そして、制御キーのパターンを複数用意しておけば、制御対象機器に応じてこれを適宜切り換えることにより、１つのリモコン装置で複数の制御対象機器を制御することができる。
【０００３】
例えば、特許文献１には、複数の電子機器のリモコンそれぞれに対応したキーを表示させることで、複数の電子機器の操作を単一のリモコンで行うことが可能な技術が開示されている。
【０００４】
図１３は、従来技術に係る液晶タッチパネルリモコン２００の一例を示す外観図である。また、図１４は、図１３に示した液晶タッチパネルリモコン２００のタッチ検出領域について示した説明図である。
図１３に示すように、液晶タッチパネルリモコン２００は、表示部１を備える。表示部１上には、例えば、電源キー（ＰＯＷＥＲキー）、音量キー（ＶＯＬ．キー）、チャンネルキー（１キー、２キー、・・・）等の制御キー、現在時刻等が表示される。
また、図１４に示すように、表示部１は、ＡＲ０、ＡＲ１、といったタッチ検出領域を備える。タッチ検出領域とは、ユーザによる操作（タッチ）に伴い検出された位置に基づいて、操作された制御キーを特定することが可能な範囲のことである。
【０００５】
図１５は、従来技術に係る液晶タッチパネルリモコン２００の概略構成を示すブロック図である。
図１５に示すように、液晶タッチパネルリモコン２００は、表示部１と、表示処理部２と、制御部３と、発信部４と、受信部５と、メモリ６と、を備えて構成される。
【０００６】
表示部１は、例えば、液晶パネル１２上にタッチパネル１１が載置された液晶タッチパネルである。表示部１は、タッチ位置目標及び制御内容を示す制御キー等を表示する。また、ユーザによる制御キーの操作（例えば、手指やタッチペン等による押下）を検出し、これに対応して制御対象機器の制御を行うための操作部としての機能を有する。
ユーザによる制御キーの操作が検出されると、検出位置情報（タッチ座標情報）が制御部３に入力され、当該検出位置情報に対応した制御キーに割り当てられている制御信号が発信部４に送信されることとなる。
表示処理部２は、メモリ６から制御部３を介して読み出された表示用データに基づいて、液晶パネル１２に制御キー等を表示させるための制御を行う。
【０００７】
制御部３は、例えば、ＣＰＵ（Central Processing Unit）、ＲＡＭ（Random Access Memory）、ＲＯＭ（Read Only Memory）等を備えて構成され、液晶タッチパネルリモコン２００の各部を制御する。
ＣＰＵは、ＲＯＭに格納された処理プログラム等を読み出して、ＲＡＭに展開して実行することにより、液晶タッチパネルリモコン２００全体の制御を行う。
ＲＡＭは、ＣＰＵにより実行された処理プログラム等を、ＲＡＭ内のプログラム格納領域に展開するとともに、入力データや上記処理プログラムが実行される際に生じる処理結果等をデータ格納領域に格納する。
ＲＯＭは、例えば、半導体メモリ等で構成され、処理プログラムやデータ等が予め記憶されている。
【０００８】
発信部４は、制御部３から送信された制御信号（リモコン信号）を発信する。
受信部５は、制御対象機器に付属するリモコン（マザーリモコン）から発信されたリモコン信号（制御コード）を受信する。受信された制御コードは、制御部３に送信され、この制御コードに対応する制御キーパターンが当該制御対象機器用の制御キーパターンとしてメモリ６に記憶されることとなる。ここで、制御キーパターンとは、液晶タッチパネルリモコン２００が備える制御キーと、マザーリモコンから発信されたリモコン信号と、を対応付けした設定パターンのことである。
メモリ６は、例えば、半導体メモリ等で構成され、表示部１において制御キー等を表示させるための表示用データ、すなわち、複数メーカーの複数機類の制御コード及びそれらに対応させた制御キーパターンが記憶されている。
【０００９】
従来技術に係る液晶タッチパネルリモコン２００では、複数メーカーの複数機類の制御コード及びそれらに対応させた制御キーパターンを予めメモリ６に記憶しておき、制御対象機器に応じて制御キーパターンを選択し、適宜画面表示を切り替えることで、複数の電子機器を一台のリモコンで制御することが可能となる。
【００１０】
また、リモコン内に用意されていないメーカー及び機類に対して、マザーリモコンからリモコン信号を受信し機能別に記憶することで当該機器を制御可能とする機能を持つものがある。
このような１台で複数の制御対象機器を制御可能なリモコンは、一般に「学習リモコン」と呼ばれている。
【特許文献１】特開平６−６８７２号公報
【発明の開示】
【発明が解決しようとする課題】
【００１１】
複数の制御対象機器が存在する場合、それぞれに対応して複数のリモコンが存在する。このような場合に、その都度適当なリモコンに持ちかえて操作する煩わしさを解消するために、学習リモコンを用いて一つのリモコンで複数機器を制御する。
しかしながら、制御キーの配置や表示（文字列やピクトグラム）は学習リモコン側で予め用意されているものを用いるため、各制御キーに同機能のリモコン信号が割り当てられることになり、マザーリモコンのキー配列や表示が反映されない場合が多い。よって、ユーザがマザーリモコンを使い慣れている場合、学習リモコンでの操作に違和感を覚えることがある。
【００１２】
本発明は、制御対象機器に設けられている操作部と同様のユーザインターフェースを容易に実現できるリモコン装置を提供することを目的とする。
【課題を解決するための手段】
【００１３】
請求項１に記載の発明は、上記目的を達成するためになされたものであり、制御対象機器に応じた制御キー群を表示する表示部と、前記制御キー群を構成する個々の制御キーに対応して検出領域が形成され、前記制御キーが操作されたことを検出する検出部と、前記制御対象機器を制御するリモコン信号を前記制御キーに対応付けて記憶する記憶部と、前記検出部により検出された制御キーに対応付けられたリモコン信号を前記制御対象機器に向けて発信する発信部と、前記制御対象機器ごとに前記個々の制御キーの設定を切り替える制御部と、を備えたリモコン装置において、前記制御対象機器が備える制御キー群の画像を撮影して取得する画像取得部を設け、前記制御部は、前記画像取得部により取得された画像に含まれる個々の制御キーに対応して、前記検出領域及びリモコン信号の設定を行うことを特徴とする。
【００１４】
請求項２に記載の発明は、請求項１に記載のリモコン装置において、前記制御対象機器から発信されたリモコン信号を受信する受信部を備え、前記制御部は、前記画像取得部により取得された画像を前記表示部に表示させ、当該画像上の個々の制御キーに対応する表示領域が操作されることに基づいて、当該表示領域に対応して前記検出領域を設定し、前記受信部により受信されたリモコン信号を、当該制御キーに対応付けることを特徴とする。
【００１５】
請求項３に記載の発明は、請求項１又は２に記載のリモコン装置において、前記画像は、前記制御対象機器に付属するリモコン装置の画像であることを特徴とする。
【００１６】
請求項４に記載の発明は、制御対象機器に応じた制御キー群を表示する表示部と、前記制御キー群を構成する個々の制御キーに対応して検出領域が形成され、前記制御キーが操作されたことを検出する検出部と、前記制御対象機器を制御するリモコン信号を前記制御キーに対応付けて記憶する記憶部と、前記検出部により検出された制御キーに対応付けられたリモコン信号を前記制御対象機器に向けて発信する発信部と、前記制御対象機器ごとに前記個々の制御キーの設定を切り替える制御部と、を備えたリモコン装置の設定方法であって、前記制御対象機器が備える制御キー群の画像を撮影して取得し、当該取得された画像に含まれる個々の制御キーに対応して、前記検出領域及びリモコン信号の設定を行うことを特徴とする。
【発明の効果】
【００１７】
本発明によれば、取り込んだ画像を表示画面に表示し、当該表示画面上でキー操作を行うことが可能なリモコン装置を提供することができる。
【発明を実施するための最良の形態】
【００１８】
以下、本発明の実施の形態を図面に基づいて説明する。
【００１９】
図１は、本実施形態に係る液晶タッチパネルリモコン１００の概略構成を示すブロック図である。
図１に示すように、液晶タッチパネルリモコン１００は、表示部１と、表示制御部２と、制御部３と、発信部４と、受信部５と、メモリ６と、画像処理部７と、画像メモリ８と、画像データＩ／Ｆ９と、撮影部１０と、を備えて構成される。
【００２０】
表示部１は、例えば、液晶パネル１２上にタッチパネル１１が載置された液晶タッチパネルである。表示部１は、タッチ位置目標及び制御内容を示す制御キー等を表示する。また、ユーザによる制御キーの操作（例えば、手指やタッチペン等による押下）を検出し、これに対応して制御対象機器の制御を行うための操作部としての機能を有する。
ユーザによる制御キーの操作が検出されると、検出位置情報（タッチ座標情報）が制御部３に入力され、当該検出位置情報に対応した制御キーに割り当てられている制御信号が発信部４に送信されることとなる。
表示処理部２は、メモリ６から制御部３を介して読み出された表示用データ、及び画像処理部７により画像処理を施された画像データに基づいて、液晶パネル１２に制御キー等を表示させるための制御を行う。
【００２１】
制御部３は、例えば、ＣＰＵ（Central Processing Unit）、ＲＡＭ（Random Access Memory）、ＲＯＭ（Read Only Memory）等を備えて構成され、液晶タッチパネルリモコン１００の各部を制御する。
ＣＰＵは、ＲＯＭに格納された処理プログラム等を読み出して、ＲＡＭに展開して実行することにより、液晶タッチパネルリモコン１００全体の制御を行う。
ＲＡＭは、ＣＰＵにより実行された処理プログラム等を、ＲＡＭ内のプログラム格納領域に展開するとともに、入力データや上記処理プログラムが実行される際に生じる処理結果等をデータ格納領域に格納する。
ＲＯＭは、例えば、半導体メモリ等で構成され、処理プログラムやデータ等が予め記憶されている。ＲＯＭには、例えば、取り込まれた画像に制御キー機能を割り当てる制御キー機能割り当て処理プログラム等が記憶されている。
【００２２】
発信部４は、制御部３から送信された制御信号（リモコン信号）を発信する。本実施形態では、赤外線信号をリモコン信号としている。
受信部５は、制御対象機器に付属するマザーリモコンから発信されたリモコン信号を受信する。そして、受信したリモコン信号は制御部３に送信される。
メモリ６は、例えば、半導体メモリ等で構成され、制御対象機器毎に設定されるタッチ検出領域及びタッチ検出領域に対応するリモコン信号を記憶する。
【００２３】
画像処理部７は、画像メモリ８に記憶されている画像データ、及び画像データＩ／Ｆ９から取り込まれた画像データを表示部１において表示できるようにするための画像処理を行う。
画像メモリ８は、例えば、半導体メモリ等で構成され、画像データＩ／Ｆ９や撮影部１０で取り込まれた表示用画像等を記憶する。画像メモリ８に記憶された表示用画像は、制御部３で選択された表示設定に基づいて、表示部１に表示される。
画像データＩ／Ｆ９は、例えば、ＵＳＢコネクタの接続や、メモリカード挿抜が可能な構成を備え、外部記憶手段（例えば、メモリカード等）から画像データの取り込みを行う。
撮影部１０は、カメラレンズを備え、表示部１に表示させる画像の撮影を行う。
【００２４】
このように、本実施形態に係る液晶タッチパネルリモコン１００は、制御対象機器に応じた制御キー群を表示する表示部（表示部１、液晶パネル１１）と、前記制御キー群を構成する個々の制御キーに対応して検出領域が形成され、前記制御キーが操作されたことを検出する検出部（表示部１、タッチパネル１２）と、前記制御対象機器を制御するリモコン信号を前記制御キーに対応付けて記憶する記憶部（メモリ６）と、前記検出部により検出された制御キーに対応付けられたリモコン信号を前記制御対象機器に向けて発信する発信部（発信部４）と、前記制御対象機器ごとに前記個々の制御キーの設定を切り替える制御部（制御部３）と、前記制御対象機器が備える制御キー群の画像を取得する画像取得部（画像データＩ／Ｆ９、撮影部１０）と、を備える。
液晶タッチパネルリモコン１００は、上記構成を備えることにより、複数の表示画像と制御キーの位置及び機能設定の組み合わせ（表示設定）を記憶し、当該表示設定を連動して切り替えることが可能となる。
まず、表示画像を取り込む方法としては、画像データＩ／Ｆ９を介して画像データを受け取る方法や撮影部１０で直接撮影する方法等が考えられる。次の図２、図３で、撮影部１０で表示画像を直接取り込む様子について説明する。
【００２５】
図２は、液晶タッチパネルリモコン１００に表示用画像を取り込む様子について示した説明図である。また、図３は、液晶タッチパネルリモコン１００に取り込まれる画像が表示部１に表示される様子について示した説明図である。
図２に示すように、本実施形態に係る液晶タッチパネルリモコン１００は、外観画像を取り込みたいリモコン（マザーリモコン１１０）を撮影部１０により撮影することで、直接リモコン画像を取り込み表示させることができる。
この場合、図３に示すように、表示部１上に制御キーの設定可能領域Ｂを案内する表示（例えば、破線枠等）を出し、当該設定可能領域Ｂに合わせた撮影を行うことで、設定可能領域Ｂ内にキー画像が収まるよう撮影時に調整することができる。これは、液晶タッチパネルリモコン１００本体の制御キー（図３ではＳＥＬＥＣＴキーＳ）を表示部１上に残す仕様が考えられるためで、当該制御キーと重なる領域に新たな制御キーを設定することを避ける方法の一例である。
【００２６】
なお、本実施形態に係る液晶タッチパネルリモコン１００は、学習対象となるリモコン（マザーリモコン）の外観画像を取り込み、当該画像上の制御キーの位置に本来の制御キー機能を割り当てる処理が必要である。以下、その割り当て処理について、図４、図５を用いて説明する。
【００２７】
図４は、液晶タッチパネルリモコン１００における制御キー機能の割り当ての様子について示した説明図である。
図４に示すように、液晶タッチパネルリモコン１００には、マザーリモコン１１０の外観画像が取り込み表示されているとともに、ＳＥＬＥＣＴキーＳ、確定キーＤが表示されている。また、液晶タッチパネルリモコン１００の受信部５にマザーリモコン１１０の発信部が向けられることで、当該発信部から発信されるリモコン信号を受信することが可能となっている。
【００２８】
図５は、本実施形態に係る液晶タッチパネルリモコン１００内で行われる制御キー機能割り当て処理の一例について示したフローチャートである。この制御キー機能割り当て処理は、ユーザによりＳＥＬＥＣＴキーＳが長押しされることにより、液晶タッチパネルリモコン１００が「通常モード」から「学習モード」へと変更されたことを契機に、ＣＰＵがＲＯＭに格納されている制御キー機能割り当て処理プログラムを実行することにより実現される。
【００２９】
図５に示すように、ステップＳ１１では、学習モードにおいて画像が取得されたか否かが判定される。画像が取得された場合は、次のステップＳ１２へと移行し、画像が取得されていない場合は、当該ステップＳ１１を繰り返す。なお、取得された画像は表示部１に表示される。
ステップＳ１２では、マザーリモコンの画像が表示された状態で、表示部１が押下されたか否かが判定される。表示部１が押下されると、当該押下位置が検出され、当該検出位置を中心にタッチ検出領域が設定される。ここで、タッチ検出領域とは、ユーザによる操作（タッチ）を検出することが可能な範囲のことである。ユーザが、表示部１に表示されたマザーリモコン画像上の制御キーの中心を押下することで、この制御キーに対応したタッチ検出領域が設定されることとなる。当該タッチ検出領域の設定は、一時的にＲＡＭに記憶される。表示部１が押下されていた場合は、次のステップＳ１３へと移行し、表示部１が押下されていなかった場合は、当該ステップＳ１２を繰り返す。
ステップＳ１３では、マザーリモコン１１０のいずれかのキー（例えば、Ａキー）が押下されたか否かが判定される。マザーリモコン１１０のキーが押下されると、マザーリモコン１１０の発信部から当該キーに対応したリモコン信号が発信され、液晶タッチパネルリモコン１００の受信部５で受信される。そして、受信された信号は、ステップＳ１２で設定されたタッチ検出領域と対応付けられ、一時的にＲＡＭに記憶されることとなる。マザーリモコン１１０のキーが押下された場合は、次のステップＳ１４へと移行し、マザーリモコン１１０のキーが押下されない場合は、当該ステップＳ１３を繰り返す。
【００３０】
ステップＳ１４では、確定キーＤが押下されたか否かが判定される。確定キーＤが押下された場合は、次のステップＳ１５へと移行し、確定キーＤが押下されない場合は、ステップＳ１６へと移行する。
ステップＳ１５では、制御キーの設定処理が行われる。確定キーＤが押下されると、学習内容（タッチ検出領域とリモコン信号の対応付け）が確定される。すなわち、ステップＳ１２で設定されたタッチ検出領域部分（例えば、液晶タッチパネルリモコン１００のＡキーの部分）にステップＳ１３で受信されたリモコン信号（例えば、マザーリモコン１１０のＡキーに対応付けられたリモコン信号）が割り当てられる。
具体的には、ステップＳ１４で確定されたタッチ検出領域とリモコン信号の対応付けがメモリ６に記憶される。ユーザによって、表示部１に表示されたマザーリモコン画像上の制御キーの中心が押下された場合、この制御キーに対応するタッチ検出領域が設定されている。従って、制御キーに対応して、タッチ検出領域及びリモコン信号が設定されることとなる。
ステップＳ１６では、当該制御キー機能割り当て処理を継続するか否かが判定される。処理を継続する場合は、ステップＳ１２へと移行し、他のキー（例えば、Ｂキー、Ｃキー、・・）について同様の割り当て処理が行われることとなる。処理を継続しない場合は、処理を終了する。
本実施形態においては、当該制御キー機能割り当て処理の最中にＳＥＬＥＣＴキーＳが押下されると、液晶タッチパネルリモコン１００は「学習モード」から「通常モード」へと変更され、当該処理を終了する。
【００３１】
なお、ステップＳ１２において、押下位置を検出する領域（タッチ検出領域）の面積は、予め設定されており、タッチに反応して自動的に設定される。ここで、例えば、表示している画像が小さい等、隣接キー同士が接近しすぎていて、各キーのタッチ検出領域が重なってしまうような場合は、表示やアラームでタッチ検出領域が重なっている旨を指摘し、重なっている部分の真ん中で２つに分ける等、タッチ検出領域が重ならないように設定するよう促すものとする。或いは、各キーのタッチ検出領域を、重ならないかぎりにおいて最大のものに自動設定する方法をとってもよい。タッチ検出領域を最大のものにすることで、２つ目以降のキーのタッチ検出領域が重なる可能性が高くなるので、重なった部分の真ん中で２つに分ける処理等を繰り返すことで、最適なタッチ検出領域を設定することができる。この場合、隣接している各キーの中心座標から最適な領域面積を算出することは可能である。また、ユーザの押下位置によっては、例えば、キー画像の端の方を押下した場合等、押下された指がタッチ検出領域のサイズから外れてしまう場合があるので、予めキー画像よりも大きめにタッチ検出領域を設定するようにしてもよい。
【００３２】
また、タッチ検出領域において、予め図形毎にいくつかパターンを持っておいて、面積が最大になるようにパターンを変更できるようにしても良い。例えば、四角のパターンを大きさ別に数種類持っていて、長方形のキーが隣り合っているような場合において、両キーの隣接距離が短い場合は小さい四角のパターンを組み合わせたり、一方、両キーの隣接距離が長い場合は大きい四角のパターンを組み合わせたりして、タッチ検出領域を割り当てることも可能である。最近では、扇形や円形のキーも存在するので、例えば、円形のパターンを大きさ別に数種類持っておき、小さい円形のパターンを組み合わせることで、確実にキーにタッチ検出領域を割り当てることができる。また、タッチ検出領域上を１回タッチすると四角のタッチ検出領域、２回タッチすると円形のタッチ検出領域、というように、同じタッチ検出領域をタッチする回数によりタッチ検出領域の図形を変更するようにしてもよい。
【００３３】
また、タッチ検出領域が重なる時は自動で重ならないサイズに変更することも可能である。
【００３４】
また、撮像したキーの輪郭を検出したり、撮像したキーの濃度値に所定の閾値を設けて２値化することでタッチ検出領域を線画で表示したり、撮像したキーの輪郭を直接なぞって縁取ることで領域を指定したりすることも可能である。また、キー上やキー周辺にある文字を認識して、機能を割り当ててもよい。
【００３５】
以下、液晶タッチパネルリモコン１００に取り込まれた表示用画像の切り替え方法について、図６〜図１１を用いて説明する。
図６は、液晶タッチパネルリモコン１００に表示用画像として取り込まれる二種のマザーリモコンについて示した外観図である。（ａ）には、ＴＶ用リモコンが示され、（ｂ）には、ＣＤ用リモコンが示されている。
【００３６】
図７は、図６（ａ）に示したＴＶ用リモコン画像を取り込み表示した液晶タッチパネルリモコン１００の表示例である。また、図８は、図７に示した液晶タッチパネルリモコン１００のタッチ検出領域について示した説明図である。
図７に示すように、液晶タッチパネルリモコン１００の表示部１上には、例えば、電源キー（ＰＯＷＥＲキー）、音量キー（ＶＯＬ．キー）、チャンネルキー（１キー、２キー、・・・）等の制御キー等が表示される。また、表示部１の画面左下部にはＳＥＬＥＣＴキーが、画面右下部には制御対象（ＴＶ）が、それぞれ表示されている。
また、図８に示すように、表示部１は、ＡＲ０、ＡＲ１、といったタッチ検出領域を備える。タッチ検出領域は、例えば、図５で示した制御キー機能割り当て処理により設定される。つまり、例えば、ＰＯＷＥＲキーＰに対応したタッチ検出領域がＡＲ０に設定され、当該タッチ検出領域には、電源のオン／オフを切り替えるリモコン信号が対応付けられる。これにより、ＰＯＷＥＲキーＰに電源のオン／オフ機能をもたせることが可能となる。
【００３７】
図９は、図６（ｂ）に示したＣＤ用リモコン画像を取り込み表示した液晶タッチパネルリモコン１００の表示例である。また、図１０は、図９に示した液晶タッチパネルリモコン１００のタッチ検出領域について示した説明図である。
図９に示すように、液晶タッチパネルリモコン１００の表示部１上には、例えば、電源キー（ＰＯＷＥＲキー）、数字キー（１キー、２キー、・・・）等の制御キー等が表示される。また、表示部１の画面左下部にはＳＥＬＥＣＴキーが、画面右下部には制御対象（ＣＤ）が、それぞれ表示されている。
また、図１０に示すように、表示部１は、ＡＲ０、ＡＲ１、といったタッチ検出領域を備える。タッチ検出領域は、例えば、図５で示した制御キー機能割り当て処理により設定される。つまり、例えば、ＰＯＷＥＲキーＰに対応したタッチ検出領域がＡＲ０に設定され、当該タッチ検出領域には、電源のオン／オフを切り替えるリモコン信号が対応付けられる。これにより、ＰＯＷＥＲキーＰに電源のオン／オフ機能をもたせることが可能となる。
【００３８】
図１１は、液晶タッチパネルリモコン１００における表示画面の切り替え操作について示した説明図である。
図１１に示すように、液晶タッチパネルリモコン１００は、表示部１上にＳＥＬＥＣＴキーＳを備える。ユーザがＳＥＬＥＣＴキーＳを押下すると、表示画面が切り替わる。本実施形態では、ユーザによりＳＥＬＥＣＴキーＳが押下される度に、「ＴＶ」用画面と「ＣＤ」用画面とが切り替わる。
【００３９】
このように、本実施形態に係る液晶タッチパネルリモコン１００は、複数の表示画像を取り込み、当該表示画像と制御キーの位置及び機能設定の組み合わせ（表示設定）を記憶し、当該表示設定を連動して切り替えることができる。
【００４０】
以上、本発明に係る実施形態に基づいて具体的に説明したが、本発明は上記実施形態に限定されるものではなく、その要旨を逸脱しない範囲で変更可能である。
【００４１】
例えば、上記実施形態では、表示部１でタッチパネル１１の載置先を液晶パネル１２にしているが、タッチパネル１１を載置できるものであれば、いかなる表示デバイスであっても実施可能である。
【００４２】
また、上記実施形態では、撮影部１０が設けられているが、撮影部１０を設けない構成により実施することも可能である。
【００４３】
また、上記実施形態では、表示用画像としてリモコン画像を表示するようにしているが、機器本体の画像を表示させて、各制御キーに対応した機能を割り当てることも可能である。すなわち、制御したい機器本体のキー部分を撮影した画像を取り込み表示させ、各キーに対応した制御信号を学習させることで、機器本体のキーを押す感覚で制御を行うことができる。なお、各キーに対応した制御信号を学習させるには、上記実施形態同様機器本来のリモコン（マザーリモコン）を用い、図５と同様の処理を行う。
例えば、図１２は、液晶タッチパネルリモコン１００にＣＤプレーヤ本体１２０の外観画像を取り込み表示している様子について示した説明図である。
図１２に示すように、液晶タッチパネルリモコン１００の表示部１内には、ＣＤプレーヤ１２０の制御キーを含んだ画像が取り込み表示されている。
【００４４】
また、上記実施形態では、実画像や写真を取り込んでいるが、例えば、ユーザが作成した画像（作画）データや、取り扱い説明書に載っているリモコンの挿絵等を取り込んでもよい。
【００４５】
また、キーの機能の割り当てが終わった後に、確認のため、例えば図８や図１０のように、タッチ検出領域を実際のキー画像に重ねて表示することで、キー画像とタッチ検出領域の整合が取れているか確認することができる。キー画像とタッチ検出領域にずれが生じている場合は、再度設定し直すことも可能である。
【図面の簡単な説明】
【００４６】
【図１】本実施形態に係る液晶タッチパネルリモコン１００の概略構成を示すブロック図である。
【図２】液晶タッチパネルリモコン１００に表示用画像を取り込む様子について示した説明図である。
【図３】液晶タッチパネルリモコン１００に取り込まれる画像が表示部１に表示される様子について示した説明図である。
【図４】液晶タッチパネルリモコン１００における制御キー機能の割り当ての様子について示した説明図である。
【図５】本実施形態に係る液晶タッチパネルリモコン１００内で行われる制御キー機能割り当て処理の一例について示したフローチャートである。
【図６】液晶タッチパネルリモコン１００に表示用画像として取り込まれる二種のマザーリモコンについて示した外観図である。
【図７】図６（ａ）に示したＴＶ用リモコン画像を取り込み表示した液晶タッチパネルリモコン１００の表示例である。
【図８】図７に示した液晶タッチパネルリモコン１００のタッチ検出領域について示した説明図である。
【図９】図６（ｂ）に示したＣＤ用リモコン画像を取り込み表示した液晶タッチパネルリモコン１００の表示例である。
【図１０】図９に示した液晶タッチパネルリモコン１００のタッチ検出領域について示した説明図である。
【図１１】液晶タッチパネルリモコン１００における表示画面の切り替え操作について示した説明図である。
【図１２】液晶タッチパネルリモコン１００にＣＤプレーヤ本体１２０の外観画像を取り込み表示している様子について示した説明図である。
【図１３】従来技術に係る液晶タッチパネルリモコン２００の一例を示す外観図である。
【図１４】図１３に示した液晶タッチパネルリモコン２００のタッチ検出領域について示した説明図である。
【図１５】従来技術に係る液晶タッチパネルリモコン２００の概略構成を示すブロック図である。
【符号の説明】
【００４７】
１００  液晶タッチパネルリモコン
１  表示部
１１  タッチパネル
１２  液晶パネル
２  表示処理部
３  制御部
４  発信部
５  受信部
６  メモリ
７  画像処理部
８  画像メモリ
９  画像データＩ／Ｆ
１０  撮影部
【図１】
2009246646.tif 000003
【図２】
2009246646.tif 000004
【図３】
2009246646.tif 000005
【図４】
2009246646.tif 000006
【図５】
2009246646.tif 000007
【図６】
2009246646.tif 000008
【図７】
2009246646.tif 000009
【図８】
2009246646.tif 000010
【図９】
2009246646.tif 000011
【図１０】
2009246646.tif 000012
【図１１】
2009246646.tif 000013
【図１２】
2009246646.tif 000014
【図１３】
2009246646.tif 000015
【図１４】
2009246646.tif 000016
【図１５】
2009246646.tif 000017